(57)【要約】【課題】便座装置において、余分な放熱が少なく耐久性が高い暖房便座を有し、便器本体の上端と暖房便座の下面の間の隙間からの汚水の飛散を確実に防止してトイレ内を清潔に保つこと。【解決手段】便座付便器１の便座２のヒータ１２に通電されると発生した熱が被覆材１０Ｂを伝わって外部被覆カバー材５を適度に温めるため、着座した時に心地良い暖かさを感じる便座２となり、外部被覆カバー材５が便座筐体１０よりも軟質であるためクッション性も良く、断熱性を備えていることから便座２の上面及び側面からの放熱が抑えられて省エネルギ化を図ることができ、外部被覆カバー材５の下端には便座筐体１０の内周に沿って、便座筐体１０と便器本体３との間に生ずる隙間の下端に届く長さを有する下方突出部５ａが設けられていることから、当該隙間から温水洗浄装置７による洗浄水が局部から跳ね返って飛び出す事態を確実に防止できる。【選択図】図３
2007159758.tif 000002
【特許請求の範囲】
【請求項１】
便座筐体の外側を覆うように取付けられ、前記便座筐体よりも軟質材料からなり、前記便座筐体に対して着脱可能に配設されてなる外部被覆カバー材を具備し、
前記便座筐体と便器本体との間に生ずる隙間を略閉じる長さを有する下方突出部が前記便座の内周に沿って前記外部被覆カバー材の下端に設けられていることを特徴とする便座装置。
【請求項２】
内部に空洞を有する便座筐体と、前記便座筐体の内部に直接的または間接的に取付けられたヒータと、前記便座筐体の外側において、少なくとも着座面及び側面を覆うように取付けられ、前記便座筐体よりも軟質で断熱性を備えた前記便座筐体に対して着脱可能な外部被覆カバー材を具備し、
前記外部被覆カバー材によって、前記便座筐体と便器本体との間に生ずる隙間を略閉じる長さを有する下方突出部が、前記便座筐体の内周に沿って前記外部被覆カバー材の下端に設けられていることを特徴とする便座装置。
【請求項３】
前記下方突出部は、その内側が前記便座筐体の側面から下面にかけて回り込んで密着していることを特徴とする請求項１または請求項２に記載の便座装置。
【請求項４】
前記便座筐体の内部の空洞には、その空洞内部下部に断熱材が配設され、前記空洞全体を埋めたことを特徴とする請求項２または請求項３に記載の便座装置。
【請求項５】
前記断熱材は、前記便座筐体の内部上面に取付けられ、前記空洞の一部を埋めるプレート形状であることを特徴とする請求項２または請求項３に記載の便座装置。
【発明の詳細な説明】
【技術分野】
【０００１】
本発明は、便器に取り付けられ、トイレ内を衛生的に保つことができる便座装置に関するものである。
【背景技術】
【０００２】
特に冬季において、便座に着座したときの不快な冷感を解消するために、特許文献１乃至特許文献３に示されるように、様々な工夫が施された暖房便座が開発されている。
特許文献１においては、便座と便座の上部に載置される便座蓋とで閉空間を形成するように構成し、便座の上面には保温層と保護層を設けて、人が入ってきたことを検知すると前記閉空間に加熱空気を供給して便座を加熱することによって、トイレに人が入ってきてから便座に着座するまでの短時間で便座を暖めることができ、不使用時には暖房のための電力を不要として省エネルギ化を図る便座装置が開示されている。
【０００３】
また、特許文献２においては、無数の気孔を有するゴム等の表皮材と下部材とから中空状に形成された便座筐体と、便座筐体内に配置されたヒータと、ヒータの着座面（上面）側に配設された蓄熱材と、ヒータの下面側に配設された断熱材とからなる放熱体とを有し、着座時には放熱体と表皮材とが接触する暖房便座が開示されている。これによって、着座時のみ便座を暖めることができ、非使用時の放熱が少なくなり省エネルギ化を図ることができるとしている。
【０００４】
更に、特許文献３においては、便座を合成樹脂製の基板と基板上に載置されるコルク製の上板から構成し、基板上部に形成した凹部内にヒータを配設した暖房便座が開示されている。これによって、コルクの断熱性により着座時に冷たい感触がなく、真冬の極寒期を除いて暖房が不要となり、また暖房を行う際にもコルク自体に保温性があるため必要電力が低減されるとしている。
【特許文献１】特開平１１−３４２０９５号公報
【特許文献２】特開２００３−２４５２２５号公報
【特許文献３】特開２００４−１８０９２９号公報
【発明の開示】
【発明が解決しようとする課題】
【０００５】
しかしながら、これらの発明においては、着座面からの放熱や便座筐体内部への放熱が大きく、熱効率が悪いために確実に省エネルギ化を図ることができない。特に、特許文献１に記載された便座装置においては、便座本体側面からの放熱が大きいという問題点がある。また、特許文献２に記載された暖房便座においては、着座時に表皮材が放熱体と直接接触するため、耐久性が低くなるという問題点がある。
更に、便座の材質を種々選択することはできても、便器本体は陶器製であることには変わりがなく、暖房便座の裏側には便器本体に被せる際の衝撃を和らげるために複数個の樹脂またはゴム製の足部材が付いている。このため、便器本体の上端と暖房便座の下面の間には、この足部材の高さ分だけの隙間（通常、５ｍｍ〜１０ｍｍ程度）が生じている。この隙間から、近年普及している温水洗浄便座における洗浄水が局部から跳ね返ったものが飛び出すことによって、便器外への汚水の飛散が発生していた。また、男性が着座状態で排尿する際にも、この隙間から尿の一部が外部へ飛び出したり、便器の上面を汚す事態も生じていた。
【０００６】
そこで、本発明は、便座と便器との隙間への汚水の飛散を防止し、トイレ内を清潔に保つことができる便座装置を提供することを課題とするものである。
【課題を解決するための手段】
【０００７】
請求項１の発明にかかる便座装置は、便座筐体の外側を覆うように取付けられ、前記便座筐体よりも軟質材料からなり、前記便座筐体に対して着脱可能に配設されてなる外部被覆カバー材を具備し、前記便座筐体と便器本体との間に生ずる隙間を略閉じる長さを有する下方突出部が前記便座の内周に沿って前記外部被覆カバー材の下端に設けられているものである。
ここで、上記外部被覆カバー材は、前記便座筐体の外側で前記便座筐体の上部を覆うものであればよく、その面積及び意匠性を問うものではない。また、前記便座筐体と前記便器本体との間に生ずる隙間を略閉じる長さとは、前記便器本体の上面に完全に当接して密閉することを意味するものではなく、前記便座筐体と前記便器本体との間に生ずる隙間を少なくするものであればよい。好ましくは、前記便座筐体と前記便器本体との間に生ずる隙間を略閉じる長さとは、前記便器本体の上面に当接しないで、１〜３ｍｍ程度の隙間が発生するものであればよい。即ち、前記便器本体の寸法精度から、前記便器本体の上面に当接しない程度のものが望ましい。
【０００８】
請求項２の発明にかかる便座装置は、内部に空洞を有する便座筐体と、前記便座筐体の内部に直接的または間接的に取付けられたヒータと、前記便座筐体の外側において、少なくとも着座面及び側面を覆うように取付けられ、前記便座筐体よりも軟質で断熱性を備えた前記便座筐体に対して着脱可能な外部被覆カバー材を具備し、前記外部被覆カバー材によって、前記便座筐体と便器本体との間に生ずる隙間を略閉じる長さを有する下方突出部が前記便座筐体の内周に沿って前記外部被覆カバー材の下端に設けられている。
ここで、上記外部被覆カバー材は、前記便座筐体の外側で、前記便座筐体の上部を覆うものであればよく、その面積及び意匠性を問うものではない。また、前記便座筐体と前記便器本体との間に生ずる隙間を略閉じる長さとは、前記便器本体の上面に完全に当接して密閉することを意味するものではなく、前記便座筐体と前記便器本体との間に生ずる隙間を少なくするものであればよい。好ましくは、前記便座筐体と前記便器本体との間に生ずる隙間を略閉じる長さとは、前記便器本体の上面に当接しないで、１〜３ｍｍ程度の隙間が発生するものであればよい。即ち、前記便器本体の寸法精度から、前記便器本体の上面に当接しない程度のものが望ましい。
そして、上記便座筐体の内部に直接的または間接的に取付けられたヒータとは、上記便座筐体の内部に直接埋設したり、他の部材を埋設することによって取付けたり、接合したりすることを意味する。
【０００９】
請求項３の発明にかかる便座装置は、請求項１または請求項２の構成において、前記下方突出部は、その内側が前記便座筐体の側面から下面にかけて回り込んで密着している。
ここで、下方突出部の内側が前記便座筐体の側面から下面にかけて回り込んで密着しているとは、下方突出部自体またはその内側が、前記便座筐体の側面から下面にかけて回り込んで密着していることを意味する。
【００１０】
請求項４の発明にかかる便座装置は、請求項２または請求項３の構成において、前記便座筐体の内部の空洞下部に断熱材が配設され、前記空洞全体を埋めたものである。
ここで、前記便座筐体の空洞下部の断熱材は、下面に対して全体を埋め尽くしておればよく、上面までを必ずしも埋設することを意味するものではない。前記便座筐体の内部に直接的または間接的に取付けられたヒータとの間に空気層を形成することができる。
【００１１】
請求項５の発明にかかる便座装置は、請求項２または請求項３の構成において、前記断熱材は前記便座筐体の内部上面に取付けられ、前記空洞の一部を埋めるプレート形状であるものである。
ここで、前記空洞の一部を埋めるプレート形状の断熱材は、前記便座筐体の内部に直接的または間接的に取付けられたヒータの熱エネルギが下方向に放射され難くするものであればよい。
【発明の効果】
【００１２】
請求項１の発明にかかる便座装置は、便座筐体の外側を覆うように取付けられ、前記便座筐体よりも軟質材料からなり、前記便座筐体に対して着脱可能に配設されてなる外部被覆カバー材を具備し、前記便座筐体と便器本体との間に生ずる隙間を略閉じる長さを有する下方突出部が前記便座の内周に沿って前記外部被覆カバー材の下端に設けられている。
これによって、前記外部被覆カバー材の下端には便座の内周に沿って、便座筐体と便器本体との間に生ずる隙間を略閉じる長さを有する下方突出部が設けられていることから、従来問題となっていた当該隙間から温水洗浄装置等による洗浄水が跳ね返ったものが飛び出し、便器外へ汚水を飛散させたり、便器上面を汚したり、便座の中に入り込んだりすることを、確実に防止することができる。そして、外部被覆カバー材は便座筐体に対して着脱可能であるから、下方突出部に汚水が付着した場合には、外部被覆カバー材を取外して洗浄すれば、暖房便座を清潔に保つことができる。故に、外部被覆カバー材が便座筐体の外側を覆うように取付けられているため、それを外して洗浄することができ、また、便座筐体に直接的または間接的に取付けられたヒータを内蔵しているものでは、暖房便座の上面及び側面からの放熱が抑えられて省エネルギ化を図ることができる。
したがって、便器本体の上端と便座の下面の間の隙間からの汚水の飛散を確実に防止して、トイレ内を清潔に保つことができる便座装置となる。
【００１３】
請求項２の発明にかかる便座装置は、内部に空洞を有する便座筐体と、前記便座筐体の内部に直接的または間接的に取付けられたヒータと、前記便座筐体の外側において、少なくとも着座面及び側面を覆うように取付けられ、前記便座筐体よりも軟質で断熱性を備えた前記便座筐体に対して着脱可能な外部被覆カバー材を具備し、前記外部被覆カバー材によって、前記便座筐体と便器本体との間に生ずる隙間を略閉じる長さを有する下方突出部が前記便座筐体の内周に沿って前記外部被覆カバー材の下端に設けられている。
このように、外部被覆カバー材の下端には便座筐体の内周に沿って、便座筐体と便器本体との間に生ずる隙間を略閉じる長さを有する下方突出部が設けられていることから、従来問題となっていた当該隙間から温水洗浄装置等による洗浄水が跳ね返ったものが飛び出し、便器外へ汚水を飛散させたり、便器上面を汚したり、便座の中に入り込んだりすることを、確実に防止することができる。そして、外部被覆カバー材は便座筐体に対して着脱可能であるから、下方突出部に汚水が付着した場合には、外部被覆カバー材を取外して洗浄すれば、暖房便座を清潔に保つことができる。故に、外部被覆カバー材が便座筐体の外側を覆うように取付けられているため、それを外して洗浄することができ、また、便座筐体に直接的または間接的に取付けられたヒータを内蔵しているから、便座筐体に取付けられたヒータにより発生した熱が外部被覆カバー材に伝達されて、着座した時に冷感を感じることなく心地良い暖かさを感じる暖房便座となり、外部被覆カバー材が便座筐体よりも軟質であるため着座した時のクッション性も良く、また断熱性を備えた外部被覆カバー材が便座筐体の少なくとも着座面及びヒータに対向する側面を覆うように取付けられているため、暖房便座の上面及び側面からの放熱が抑えられて省エネルギ化を図ることができる。
このようにして、余分な放熱が少なく耐久性が高い暖房便座を有するとともに、便器本体の上端と暖房便座の下面の間の隙間からの汚水の飛散を確実に防止して、トイレ内を清潔に保つことができる便座装置となる。
【００１４】
請求項３の発明にかかる便座装置は、下方突出部はその内面が便座筐体の側面から下面にかけて回り込んで密着しているから、請求項１または請求項２の効果に加えて、下方突出部は本来の便座筐体と便器本体との間に生ずる隙間から、温水洗浄装置による洗浄水が局部から跳ね返ったものが飛び出す等による便器外への汚水の飛散の発生を確実に防止する機能を果たすとともに、外部被覆カバー材を便座筐体により強固に一体化させることができ、外部被覆カバー材のずれも一層起き難くなる。したがって、洗浄のために取り外しても、外部被覆カバー材の安定した取付け状態となる。
【００１５】
請求項４の発明にかかる便座装置の前記便座筐体の内部の空洞には、その空洞内部下部に断熱材が配設され、前記空洞全体を埋めたこと断熱材が便座筐体の内部下面に取付けられ、空洞全体を埋めたものであるから、請求項２または請求項３の効果に加えて、ヒータは外部被覆カバー材と断熱材とによって挟まれた構造を有しているため、断熱材が便座筐体の空洞全体を埋めることによって、便座筐体の下部へのヒータの熱の放散が著しく低減されて、省エネルギに貢献する。
【００１６】
請求項５の発明にかかる便座装置の断熱材は、前記便座筐体の内部上面に取付けられ、空洞の一部を埋めるプレート形状である。これによって、便座筐体の下部へのヒータの熱の放散を低減するための断熱材の使用量を低減することができ、暖房便座のコストを低減することができる。
【発明を実施するための最良の形態】
【００１７】
以下、本発明の実施の形態の便座装置について、図面を参照しながら説明する。
［実施の形態１］
【００１８】
まず、本発明の実施の形態１にかかる便座装置について、図１乃至図３を参照して説明する。
図１（ａ）は本発明の実施の形態１にかかる便座装置を便座付便器として使用した便座蓋を開けた状態を示す側面図、（ｂ）は平面図である。図２は図１（ｂ）のＡ−Ａ断面を示す図であり、本発明の実施の形態１にかかる便座装置の暖房便座の断面を示す縦断面図である。図３は図２の縦断面図において外部被覆カバー材を外した状態を示す図である。
【００１９】
図１に示されるように、本実施の形態１にかかる便座装置は、温水洗浄装置７を備えるとともに、図２に示されるように、内部にヒータ１２が配設された暖房機能を有する便座２を有する。図１において、便蓋６を開け、便座２を下ろした状態を示しているが、便座２の下面には陶器製の便器本体３の上に便座２を下ろす際の衝撃を緩和するために、硬質ゴム製の足部材４が複数個取付けられている。
【００２０】
その結果、図１（ａ）に示されるように、便器本体３の上に便座２を下ろした状態において、複数の足部材４の高さ分だけ、便器本体３の上端と便座２の下面の間に隙間（５ｍｍ〜１０ｍｍ程度）が生ずる。本実施の形態１にかかる便座装置を利用した便座付便器１においては、この隙間を塞ぐことによってこの隙間から温水洗浄装置７による洗浄水が局部から跳ね返ったものが飛び出し等による便器外への汚水の飛散を防止するために、便座２を構成する外部被覆カバー材５の内側に下方突出部５ａを設けている。
【００２１】
本実施の形態１にかかる便座装置を利用した便座付便器１における便座２の構造及び下方突出部５ａの構成について、図１（ｂ）のＡ−Ａ断面である図２及び図３を参照して説明する。
図２に示されるように、本実施の形態１の便座２は、硬質なプラスチック材料（例えば、ポリプロピレン，ＡＢＳ樹脂等）からなる便座筐体１０と、便座筐体１０の外側に着座面を覆うように着脱可能に被せられ、便座筐体１０よりも軟質で断熱性に富む材料からなる外部被覆カバー材５を有している。
【００２２】
便座筐体１０は、基材１０Ａと被覆材１０Ｂとを組み合わせて内部に空洞が形成されるように構成されており、基材１０Ａの底面には硬質ゴム製の足部材４が複数個取付けられており、被覆材１０Ｂの内面（便座筐体１０の内部上面）には、前記空洞の一部を埋めるプレート形状の断熱材１１が取付けられている。そして、この断熱材１１と被覆材１０Ｂとの間には、反射板及び取付部材としてのアルミ箔１３に固着したチュービングヒータからなるヒータ１２が配設されている。
【００２３】
したがって、このヒータ１２に通電されることによって、ヒータ１２から発生した熱が被覆材１０Ｂを伝わって外部被覆カバー材５を適度に温めるため、使用者が着座した時に冷感を感じることなく心地良い暖かさを感じる便座２となり、外部被覆カバー材５が便座筐体１０よりも軟質であるため着座した時のクッション性も良く、また断熱性を備えた外部被覆カバー材５が便座筐体１０の着座面及び側面を覆うように取付けられていることから、便座２の上面及び側面からの放熱が抑えられて省エネルギ化を図ることができる。
【００２４】
更に、外部被覆カバー材５の下端には便座筐体１０の内周に沿って、便座筐体１０と便器本体３との間に生ずる隙間の下端に届く長さを有する下方突出部５ａが設けられていることから、従来問題となっていた当該隙間から温水洗浄装置７による洗浄水が局部から跳ね返ったものが飛び出し等による便器本体３外へ汚水を飛散させたり、便器本体３上面を汚したり、便座２の中に入り込んだりすることを、確実に防止することができる。そして、外部被覆カバー材５は便座筐体１０に対して着脱可能であるから、下方突出部５ａに汚水が付着した場合には、外部被覆カバー材５を取外して洗浄すれば、便座２を清潔に保つことができる。
【００２５】
ここで、図３に示されるように、外部被覆カバー材５の内周縁を基準とした開口両端の内側縁までの寸法Ｌ１は、外部被覆カバー材５が被せられる便座筐体１０の被覆材１０Ｂの内周縁を基準とした被覆材１０Ｂの外周縁までの寸法Ｌ２よりも同一または若干（３ｍｍ〜６ｍｍ程度）小さい寸法となっている。この寸法差によって、外部被覆カバー材５を便座筐体１０の被覆材１０Ｂに被せる際に、適度な緊迫力を得て弾接することができ、図２に示されるように一体化した状態において、使用者が着座した状態で臀部をずらせたりしても、外部被覆カバー材５が被覆材１０Ｂからずれる事態を防止することができる。
【００２６】
このようにして、本実施の形態１にかかる便座装置を利用した便座付便器１においては、余分な放熱が少なく耐久性が高い便座２を有するとともに、便器本体３の上端と便座２の下面の間の隙間から温水洗浄装置等による洗浄水が跳ね返ったものが飛び出し、便器外へ汚水を飛散させたり、便器上面を汚したり、便座の中に入り込んだりすることを、確実に防止することができる。
［実施の形態２］
【００２７】
次に、本発明の実施の形態２にかかる便座装置を利用した便座付便器について、図４を参照して説明する。図４は本発明の実施の形態２にかかる便座装置を利用した便座付便器で図１の便座部分のＡ−Ａ断面に相当する断面を示す縦断面図である。
本実施の形態２にかかる便座装置を利用した便座付便器１の全体の構成は、図１乃至図３に示される上記実施の形態１にかかる便座付便器１とほぼ同様である。即ち、温水洗浄装置７を備えるとともに、図４に示されるように、内部にヒータ１２が配設された便座２２を有する。便座２２の下面には陶器製の便器本体３の上に便座２２を下ろす際の衝撃を緩和するために、硬質ゴム製の足部材４が複数個取付けられている。
【００２８】
その結果、図１（ａ）に示されるように、便器本体３の上に便座２２を下ろした状態において、複数の足部材４の高さ分だけ、便器本体３の上端と便座２２の下面の間に隙間（５ｍｍ〜１０ｍｍ程度）が生ずる。本実施の形態２にかかる便座装置においては、この隙間を塞いだり、その面積を少なくすることによって、この隙間から温水洗浄装置７による洗浄水が局部から跳ね返ったものが飛び出す等による便器外への汚水の飛散を防止するために、便座２２を構成する外部被覆カバー材２５の内側に下方突出部２５ａを設けている。
【００２９】
本実施の形態２にかかる便座２２においては、図４に示されるように、この外部被覆カバー材２５の内側に設けられた下方突出部２５ａの断面形状が、実施の形態１の下方突出部５ａと異なっている。即ち、下方突出部２５ａはその内面が便座筐体１０の側面から下面にかけて回り込んで密着している。
これによって、下方突出部２５ａは本来の、便座筐体１０と便器本体３との間に生ずる隙間から温水洗浄装置７による洗浄水が局部から跳ね返ったものが飛び出し等により、便器外へ汚水を飛散させたり、便器上面を汚したり、便座の中に入り込んだりすることを、確実に防止することができ、かつ、外部被覆カバー材２５と便座筐体１０とをより強固に一体化することができる。
【００３０】
このようにして、本実施の形態２にかかる便座装置においては、余分な放熱が少なく耐久性が高い便座２２を有するとともに、便器本体３の上端と便座２２の下面の間の隙間からの汚水の飛散を確実に防止して、トイレ内を清潔に保つことができる。
［実施の形態３］
【００３１】
次に、本発明の実施の形態３にかかる便座装置を利用した便座付便器について、図５を参照して説明する。図５は本発明の実施の形態３にかかる便座装置の図１の便座部分のＡ−Ａ断面に相当する断面を示す縦断面図である。
本実施の形態３にかかる便座装置の全体の構成は、図１に示される上記実施の形態１にかかる便座付便器１とほぼ同様である。即ち、本実施の形態３にかかる便座装置は、温水洗浄装置７を備えるとともに、内部にヒータが配設された便座２７を有する。便座２７の下面には陶器製の便器本体３の上に便座２７を下ろす際の衝撃を緩和するために、硬質ゴム製の足部材４が複数個取付けられている。
【００３２】
この便座２７の構成について、図５を参照して説明する。図５に示されるように、本実施の形態３にかかる便座２７は、上記実施の形態１，２と同様に、硬質なプラスチック材料（例えば、ポリプロピレン，ＡＢＳ樹脂等）からなる便座筐体１０と、便座筐体１０の外側に着座面を覆うように着脱可能に被せられ、便座筐体１０よりも軟質で断熱性に富む材料からなる外部被覆カバー材２８とを有している。
【００３３】
便座筐体１０は、基材１０Ａと被覆材１０Ｂとを組み合わせて内部に空洞が形成されるように構成されており、基材１０Ａの底面には硬質ゴム製の足部材４が複数個取付けられており、基材１０Ａの上面（便座筐体１０の内部）には、前記空洞の全体を埋める断熱材２１が取付けられている。そして、この断熱材２１と被覆材１０Ｂとの間には、アルミ箔１３に固着したチュービングヒータからなるヒータ１２が配設されている。
【００３４】
したがって、このヒータ１２に通電されることによって、ヒータ１２から発生した熱が被覆材１０Ｂを伝わって外部被覆カバー材２８を適度に温めるため、使用者が着座した時に冷感を感じることなく心地良い暖かさを感じる便座２７となり、外部被覆カバー材２８が便座筐体１０よりも軟質であるため着座した時のクッション性も良く、また断熱性を備えた外部被覆カバー材２８が便座筐体１０の着座面及び側面を覆うように取付けられていることから、便座２７の上面及び側面からの放熱が抑えられて省エネルギ化を図ることができる。
【００３５】
更に、本実施の形態３にかかる便座２７においては、断熱材２１によって便座筐体１０内部の空洞の全体を埋めているため、便座筐体１０の下部へのヒータ１２の熱の放散が著しく低減されて、一層の省エネルギ化に貢献することになる。
【００３６】
そして、外部被覆カバー材２８の下端には便座筐体１０の内周に沿って、便座筐体１０と便器本体３との間に生ずる隙間から、温水洗浄装置等による洗浄水が跳ね返ったものが飛び出し、便器外へ汚水を飛散させたり、便器上面を汚したりすることを、確実に防止することができる。そして、外部被覆カバー材２８は便座筐体１０に対して着脱可能であるから、下方突出部２８ａに汚水が付着した場合には、外部被覆カバー材２８を取外して洗浄すれば、便座２７を清潔に保つことができる。
【００３７】
このようにして、本実施の形態３にかかる便座装置においては、更に余分な放熱を少なくできて耐久性が高い便座２７を有するとともに、便器本体３の上端と便座２７の下面の間の隙間からの汚水の飛散を確実に防止して、トイレ内を清潔に保つことができる。
本発明を実施するに際しては、便座装置のその他の部分の構成、形状、数量、材質、大きさ、接続関係等については、上記各実施の形態に限定されるものではない。
【図面の簡単な説明】
【００３８】
【図１】図１（ａ）は本発明の実施の形態１にかかる便座装置を便座付便器として使用した便座蓋を開けた状態を示す側面図、（ｂ）は平面図である。
【図２】図２は図１（ｂ）のＡ−Ａ断面を示す図であり、本発明の実施の形態１にかかる便座装置の暖房便座の断面を示す縦断面図である。
【図３】図３は図２の縦断面図において外部被覆カバー材を外した状態を示す図である。
【図４】図４は本発明の実施の形態２にかかる便座装置を利用した便座付便器で図１の便座部分のＡ−Ａ断面に相当する断面を示す縦断面図である。
【図５】図５は本発明の実施の形態３にかかる便座装置を利用した便座付便器で図１の便座部分のＡ−Ａ断面に相当する断面を示す縦断面図である。
【符号の説明】
【００３９】
１  便座付便器
２，２２，２７  便座
３  便器本体
４  足部材
５，２５，２８  外部被覆カバー材
５ａ，２５ａ，２８ａ  下方突出部
１０  便座筐体
１１，２１  断熱材
１２  ヒータ
【図１】
2007159758.tif 000003
【図２】
2007159758.tif 000004
【図３】
2007159758.tif 000005
【図４】
2007159758.tif 000006
【図５】
2007159758.tif 000007